(57)【要約】【課題】スラットの大幅な設計変更を行うことなく、スラットと母翼との物理的な干渉を抑制し、騒音を低減することができる高揚力装置等を提供する。【解決手段】航空機１の母翼１０に設けられる高揚力装置１１において、スラット１５と、スラット１５を展開位置と格納位置との間で移動させるスラット移動機構１６とを備え、スラット１５は、スラット前面２１と、スラット後面２２と、スラット前面２１とスラット後面２２との間のフィレット面２３とを有し、スラット後面２２は、スラット１５の内部側に向かって凹となる曲面となっており、フィレット面２３は、スラット１５の外部側に向かって凸となる曲面となっており、航空機のピッチ軸方向に直交する面で切った断面において、スラット後面２２とフィレット面２３との変曲点Ｐ２は、格納時における母翼１０の前方側の頂点Ｐ１よりも下方側に位置している。【選択図】図３
2019155971.tif 000002
【特許請求の範囲】
【請求項１】
航空機の母翼に設けられる高揚力装置において、
前記母翼の前方側に設けられるスラットと、
前記スラットが前方に展開される展開位置と、前記スラットが後方に格納される格納位置との間で、前記スラットを移動させるスラット移動機構と、を備え、
前記スラットは、
前方側の面となるスラット前面と、
前記母翼の前方と対向し、後方側の面となるスラット後面と、
前記母翼の下面側において、前記スラット前面と前記スラット後面との間に亘って形成され、前記スラット前面及び前記スラット後面のそれぞれと連続する面となるフィレット面と、を有し、
前記スラット後面は、前記スラットの内部側に向かって凹となる、前記母翼と相補的な形状の曲面となっており、
前記フィレット面は、前記スラットの外部側に向かって凸となる曲面となっており、
前記スラットを前記航空機のピッチ軸方向に直交する面で切った断面において、前記スラットの格納時における前記スラット後面と前記フィレット面との変曲点は、前記航空機のヨー軸方向において、前記母翼の前方側の頂点よりも下方側に位置していることを特徴とする高揚力装置。
【請求項２】
前記スラットを前記航空機のピッチ軸方向に直交する面で切った断面において、前記フィレット面に亘る曲率半径を平均した平均曲率半径をＲ１とし、前記スラット後面に亘る曲率半径を平均した平均曲率半径をＲ２とすると、
前記平均曲率半径Ｒ１は、前記平均曲率半径Ｒ２に比して小さいことを特徴とする請求項１に記載の高揚力装置。
【請求項３】
前記スラットを前記航空機のピッチ軸方向に直交する面で切った断面において、
前記航空機のロール軸方向における前記母翼の前方側の頂点を、頂点Ｐ１とし、
前記スラットの格納時における前記スラット後面と前記フィレット面との変曲点を、変曲点Ｐ２とし、
前記スラットの後方側における前記スラット前面と前記スラット後面とが交わる点を、点ｐ１００とし、
前記点ｐ１００と前記変曲点Ｐ２とを結ぶ直線に対して、前記スラット前面と交わる点を、点ｐ１０１とし、
前記航空機のヨー軸方向において前記頂点Ｐ１と同じ位置となる前記スラット前面の点を、点ｐ１０２とし、
前記点ｐ１００と前記点ｐ１０２とを結ぶ直線に対して、前記スラット後面と交わる点を、点ｐ１０３とし、
前記点ｐ１０１と前記点Ｐ２とを結ぶ直線の長さを、長さＬ１とし、
前記点ｐ１０２と前記点ｐ１０３とを結ぶ直線の長さを、長さＬｒｅｆ１とすると、
前記長さＬ１と前記長さＬｒｅｆ１とは、「Ｌ１≦Ｌｒｅｆ１」であることを特徴とする請求項１または２に記載の高揚力装置。
【請求項４】
前記母翼の下面側に設けられ、前記格納位置に格納された前記スラットと、前記母翼との間の隙間を閉塞する閉塞部材と、
前記スラットの格納時において前記閉塞部材が前記隙間を閉塞する閉塞位置と、前記スラットの展開時において前記閉塞部材が収容される収容位置との間で、前記閉塞部材を移動させる閉塞部材移動機構と、をさらに備えることを特徴とする請求項１から３のいずれか１項に記載の高揚力装置。
【請求項５】
母翼と、
前記母翼に設けられる請求項１から４のいずれか１項に記載の高揚力装置と、を備えることを特徴とする航空機の翼。
【発明の詳細な説明】
【技術分野】
【０００１】
本発明は、スラットを備える高揚力装置及び航空機の翼に関するものである。
【背景技術】
【０００２】
従来、航空機ノイズを減少させる方法として、離陸時において、航空機翼の固定最先端から細長い薄板（スラット）を展開し、細長い薄板と固定最先端の上部表面の間のギャップを埋めるように上部ブリッジ要素を滑らせて展開することで、航空機翼の上部表面を連続的な航空力学表面とするものが知られている（例えば、特許文献１参照）。
【先行技術文献】
【特許文献】
【０００３】
【特許文献１】米国特許第８８６４０８３号明細書
【発明の概要】
【発明が解決しようとする課題】
【０００４】
一般的に、高揚力装置に設けられるスラットは、格納時において主翼に干渉しないように、後方側の面（後面）が主翼の前方側の面（前面）と相補的な形状に形成されている。また、スラットは、主翼の上面及び下面において連続な面となるように形成されている。これに対し、特許文献１のスラットは、航空機の騒音を減少させるための形状となっていることから、ピッチ軸に直交する面で切った断面において、スラットの後面が、主翼と前面と相補的な形状とはなっておらず、格納時において主翼に干渉する形状となっている。このため、特許文献１のスラットは、一般的なスラットから大幅な設計変更を行うこととなる。
【０００５】
そこで、本発明は、スラットの大幅な設計変更を行うことなく、スラットと母翼との物理的な干渉を抑制し、騒音を低減することができる高揚力装置及び航空機の翼を提供することを課題とする。
【課題を解決するための手段】
【０００６】
本発明の高揚力装置は、航空機の母翼に設けられる高揚力装置において、前記母翼の前方側に設けられるスラットと、前記スラットが前方に展開される展開位置と、前記スラットが後方に格納される格納位置との間で、前記スラットを移動させるスラット移動機構と、を備え、前記スラットは、前方側の面となるスラット前面と、前記母翼の前方と対向し、後方側の面となるスラット後面と、前記母翼の下面側において、前記スラット前面と前記スラット後面との間に亘って形成され、前記スラット前面及び前記スラット後面のそれぞれと連続する面となるフィレット面と、を有し、前記スラット後面は、前記スラットの内部側に向かって凹となる、前記母翼と相補的な形状の曲面となっており、前記フィレット面は、前記スラットの外部側に向かって凸となる曲面となっており、前記スラットを前記航空機のピッチ軸方向に直交する面で切った断面において、前記スラットの格納時における前記スラット後面と前記フィレット面との変曲点は、前記航空機のヨー軸方向において、前記母翼の前方側の頂点よりも下方側に位置していることを特徴とする。
【０００７】
この構成によれば、スラットにフィレット面を形成することで、スラット前面からフィレット面を介してスラット後面に流れ込む気流を、スラットからはく離し難くすることができる。このため、スラット後面に流れ込む気流のはく離によって発生する乱流の形成を抑制することができ、乱流の圧力変動による生じる航空機の騒音を低減することができる。このとき、スラット後面とフィレット面との変曲点を、航空機のヨー軸方向において、母翼の前方側の頂点よりも下方側に位置させることで、フィレット面を、一般的なスラットの一部を切り落とす面として取り扱うことができる。このため、一般的なスラットの一部を切り落とした形状にできることから、大幅な設計変更を行う必要がない。さらに、スラット後面は、母翼と相補的な形状の曲面となっていることから、スラットの格納時において、母翼との物理的な干渉を抑制することができる。
【０００８】
また、前記スラットを前記航空機のピッチ軸方向に直交する面で切った断面において、前記フィレット面に亘る曲率半径を平均した平均曲率半径をＲ１とし、前記スラット後面に亘る曲率半径を平均した平均曲率半径をＲ２とすると、前記平均曲率半径Ｒ１は、前記平均曲率半径Ｒ２に比して小さいことが、好ましい。
【０００９】
この構成によれば、フィレット面が形成される部位を、スラット後面が形成される部位に比して小さいものとすることができるため、設計変更を軽微なものとしつつ、騒音の低減効果が高い形状とすることができる。
【００１０】
また、前記スラットを前記航空機のピッチ軸方向に直交する面で切った断面において、前記航空機のロール軸方向における前記母翼の前方側の頂点を、頂点Ｐ１とし、前記スラットの格納時における前記スラット後面と前記フィレット面との変曲点を、変曲点Ｐ２とし、前記スラットの後方側における前記スラット前面と前記スラット後面とが交わる点を、点ｐ１００とし、前記点ｐ１００と前記変曲点Ｐ２とを結ぶ直線に対して、前記スラット前面と交わる点を、点ｐ１０１とし、前記航空機のヨー軸方向において前記頂点Ｐ１と同じ位置となる前記スラット前面の点を、点ｐ１０２とし、前記点ｐ１００と前記点ｐ１０２とを結ぶ直線に対して、前記スラット後面と交わる点を、点ｐ１０３とし、前記点ｐ１０１と前記点Ｐ２とを結ぶ直線の長さを、長さＬ１とし、前記点ｐ１０２と前記点ｐ１０３とを結ぶ直線の長さを、長さＬｒｅｆ１とすると、前記長さＬ１と前記長さＬｒｅｆ１とは、「Ｌ１≦Ｌｒｅｆ１」であることが、好ましい。
【００１１】
この構成によれば、スラットの形状を、最適な形状とすることができるため、騒音をより低減することができる。なお、長さＬ１が０の場合には、従来の形状と同様となり、騒音の低減効果を発揮する長さＬ１は、「０．１Ｌｒｅｆ１≦Ｌ１」程度であることから、長さＬ１と長さＬｒｅｆ１は、「０．１Ｌｒｅｆ１≦Ｌ１≦Ｌｒｅｆ１」の範囲がより好ましい。また、長さＬｒｅｆ１に対して長さＬ１が長くなると、格納時において形成されるスラットと母翼との隙間が広くなることから、隙間が広くなり過ぎないためには、「Ｌ１≦０．５Ｌｒｅｆ１」がよく、長さＬ１と長さＬｒｅｆ１は、「０．１Ｌｒｅｆ１≦Ｌ１≦０．５Ｌｒｅｆ１」の範囲がより好ましい。
【００１２】
また、前記母翼の下面側に設けられ、前記格納位置に格納された前記スラットと、前記母翼との間の隙間を閉塞する閉塞部材と、前記スラットの格納時において前記閉塞部材が前記隙間を閉塞する閉塞位置と、前記スラットの展開時において前記閉塞部材が収容される収容位置との間で、前記閉塞部材を移動させる閉塞部材移動機構と、をさらに備えることが、好ましい。
【００１３】
この構成によれば、格納時において形成されるスラットと母翼との間の隙間を閉塞部材により閉塞させることで、スラット及び母翼の下面を連続する面とすることができる。このため、航空機の巡航時における翼下面での抵抗を抑制することができる。
【００１４】
本発明の航空機の翼は、母翼と、前記母翼に設けられる上記の高揚力装置と、を備えることを特徴とする。
【００１５】
この構成によれば、航空機の翼から発生する騒音を低減することができる。
【図面の簡単な説明】
【００１６】
【図１】図１は、本実施形態に係る航空機の主翼周りの離着陸時における模式図である。
【図２】図２は、本実施形態に係る航空機の主翼周りの巡航時における模式図である。
【図３】図３は、本実施形態に係る高揚力装置のスラットの模式図である。
【図４】図４は、従来の高揚力装置のスラットにより発生する騒音レベルを示す図である。
【図５】図５は、本実施形態の高揚力装置のスラットにより発生する騒音レベルを示す図である。
【発明を実施するための形態】
【００１７】
以下に、本発明に係る実施形態を図面に基づいて詳細に説明する。なお、この実施形態によりこの発明が限定されるものではない。また、下記実施形態における構成要素には、当業者が置換可能かつ容易なもの、あるいは実質的に同一のものが含まれる。さらに、以下に記載した構成要素は適宜組み合わせることが可能であり、また、実施形態が複数ある場合には、各実施形態を組み合わせることも可能である。
【００１８】
［本実施形態］
本実施形態に係る高揚力装置１１は、航空機１の翼に設けられる装置であり、離着陸等の低速時において揚力を発生させるものである。高揚力装置１１は、航空機１の翼として、主翼５に設けられている。ここで、図１は、本実施形態に係る航空機の主翼周りの離着陸時における模式図である。図２は、本実施形態に係る航空機の主翼周りの巡航時における模式図である。図３は、本実施形態に係る高揚力装置のスラットの模式図である。図４は、従来の高揚力装置のスラットにより発生する騒音レベルを示す図である。図５は、本実施形態の高揚力装置のスラットにより発生する騒音レベルを示す図である。
【００１９】
先ず、航空機１について説明する。航空機１は、胴体３、主翼５、水平尾翼及び垂直尾翼を有している。胴体３は、航空機１の機首側と機尾側とを結ぶ方向であるロール軸方向に延在して設けられる筒状の部位である。主翼５は、胴体３の中央部近傍に設けられ、ロール軸方向に直交するピッチ軸方向において、胴体３から外側に延在する翼体となっている。図示は省略するが、水平尾翼は、胴体３の機尾側に設けられ、ピッチ軸方向において、胴体３から外側に延在する翼体となっており、また、垂直尾翼は、胴体３の機尾側に設けられ、ロール軸方向及びピッチ軸方向に直交するヨー軸方向において、胴体３から外側に延在する翼体となっている。
【００２０】
図１及び図２に示すように、主翼５は、母翼１０と、高揚力装置１１とを備えている。母翼１０は、主として、主翼５を構成する構造体である。母翼１０は、ピッチ軸方向に直交する面で切った断面において、翼形状に形成されており、母翼１０の翼外面は、ヨー軸方向の上方側の翼上面、ヨー軸方向の下方側の翼下面、及びロール軸方向の前方側の翼前面２５（図３参照）を含んでいる。
【００２１】
高揚力装置１１は、航空機１の低速時、例えば、航空機１の離着陸時において、航空機１の失速を抑制すべく、主翼５の揚力を増大させる装置である。高揚力装置１１は、母翼１０の前方側に設けられるスラット装置と、母翼１０の後方側に設けられるフラップ装置とを含んで構成されている。具体的に、高揚力装置１１は、スラット１５と、スラット移動機構１６と、フラップ１７と、閉塞部材１８と、閉塞部材移動機構１９とを有している。
【００２２】
スラット１５は、主翼５の前縁部を構成しており、母翼１０の前方側に設けられている。また、スラット１５は、ピッチ軸方向に延在して設けられている。図３に示すように、スラット１５の外面は、ピッチ軸方向に直交する面で切った断面において、ロール軸方向の前方側のスラット前面２１、ロール軸方向の後方側のスラット後面２２、及び翼下面側におけるスラット前面とスラット後面との間のフィレット面２３を含んでいる。なお、スラット１５の詳細な形状については、後述する。
【００２３】
スラット移動機構１６は、前方の展開位置と後方の格納位置との間で、スラット１５を移動させる。展開位置は、航空機１の離着陸時（低速時）において、スラット１５を前方に展開する位置となっている。格納位置は、航空機１の巡航時（高速時）において、スラット１５を後方に格納する位置となっている。このため、スラット移動機構１６は、航空機１の離着陸時において、スラット１５を展開位置に移動させる一方で、航空機１の巡航時において、スラット１５を格納位置に移動させる。展開位置に移動したスラット１５は、母翼１０との間に隙間を形成している。このため、スラット１５に当たる気流は、その一部が、スラット前面２１から母翼１０の翼上面に向かって流れる。また、スラット１５に当たる気流は、その他の一部が、スラット前面２１からフィレット面２３を介してスラット後面２２に沿って流れ、スラット１５と母翼１０との間を流れる。さらに、スラット１５に当たる気流は、その他の一部が、スラット前面２１から母翼１０の翼下面に向かって流れる。一方で、格納位置に移動したスラット１５は、母翼１０の翼前面２５に収められることで、スラット前面２１と母翼１０の翼上面とが連続する面となる。
【００２４】
ここで、図３を参照して、ピッチ軸方向に直交する面で切った断面におけるスラット１５の形状について説明する。従来の一般的なスラットの形状は、図３の点線で示すように、翼下面側における部位が、スラット前面２１とスラット後面２２とにより形成される角部となっている。このような形状の場合、スラット前面２１から角部を介してスラット後面２２に沿って流れる気流は、角部において気流のはく離が生じる。このため、スラット後面２２において、気流のはく離による乱流が生じ、乱流による圧力変動によって騒音が発生する。このため、本実施形態では、スラット１５の翼下面側において、上記のフィレット面２３を形成している。ここで、図３に示すように、フィレット面２３は、従来のスラットの角部を切り落とすような面となっている。
【００２５】
スラット前面２１は、スラット１５の前方の外部側に向かって凸となる弓形に湾曲する曲面となっている。スラット前面２１は、スラット１５の格納時において、その上方側の面が、母翼１０の翼上面と連続する面となる。一方で、スラット前面２１は、スラット１５の格納時において、その下方側の面が、母翼１０の翼下面と隙間を挟んで離れた面となる。
【００２６】
スラット後面２２は、スラット１５の前方の内部側に向かって凹となる弓形に湾曲する曲面となっている。また、スラット後面２２は、母翼１０の翼前面２５と対向する面となっており、母翼１０の翼前面２５と相補的な形状となる曲面となっている。このため、スラット後面２２は、スラット１５の格納時において、母翼１０の翼前面２５との物理的な干渉を回避可能な面となっている。このスラット前面２１とスラット後面２２とは、スラット１５のヨー軸方向の上方側において、不連続な面となっており、鋭角となる角部を形成している。
【００２７】
フィレット面２３は、スラット１５のヨー軸方向の下方側において、スラット前面２１及びスラット後面２２にそれぞれ連続する面となっており、スラット１５の後方の外部側に向かって凸となる弓形に湾曲する曲面となっている。フィレット面２３は、スラット１５の格納時において、母翼１０の翼前面及び翼下面と隙間を挟んで離れた面となる。
【００２８】
ここで、スラット前面２１とフィレット面２３との境界は、ヨー軸方向の最下点となっており、フィレット面２３とスラット後面２２との境界は、変曲点Ｐ２となっている。つまり、フィレット面２３は、ピッチ軸方向に直交する面で切った断面において、最下点と変曲点Ｐ２との間の面となっている。
【００２９】
変曲点Ｐ２は、スラット１５の外部側に向かって凸となるフィレット面２３の曲がる方向から、スラット１５の内部側に向かって凹となるスラット後面２２の曲がる方向へ変わる点である。このとき、母翼１０の前方側の頂点を、すなわち母翼１０のロール軸方向における最前点を、Ｐ１とすると、変曲点Ｐ２は、ヨー軸方向において、頂点Ｐ１よりも下方側に位置している。また、変曲点Ｐ２は、ロール軸方向において、頂点Ｐ１よりも前方側に位置している。
【００３０】
また、ピッチ軸方向に直交する面で切った断面において、フィレット面２３に係る曲率半径を、面全体に亘って平均した平均曲率半径をＲ１とする。同様に、スラット後面２２に係る曲率半径を、面全体に亘って平均した平均曲率半径をＲ２とし、スラット前面２１に係る曲率半径を、面全体に亘って平均した平均曲率半径をＲ３とする。この場合、スラット後面２２の平均曲率半径Ｒ２は、スラット前面２１の平均曲率半径Ｒ３に比して小さく、フィレット面２３の平均曲率半径Ｒ１は、スラット後面２２の平均曲率半径Ｒ２に比して小さいものとなっている。つまり、スラット前面２１、スラット後面２２及びフィレット面２３は、「Ｒ１＜Ｒ２＜Ｒ３」の関係となっている。
【００３１】
また、平均曲率半径Ｒ１及び平均曲率半径Ｒ２を線分に置き換えたときのスラット１５の形状について説明する。平均曲率半径Ｒ１を線分に置き換えたときの線分の長さを、長さＬ１とし、平均曲率半径Ｒ２を線分に置き換えたときの線分の長さを、長さＬ２とする。ここで、図４に示すように、ピッチ軸方向に直交する面で切った断面において、スラット１５の後方側におけるスラット前面２１とスラット後面２２とが交わる点を、点ｐ１００とし、点ｐ１００と変曲点Ｐ２とを結ぶ直線（実線）に対して、スラット前面２１と交わる点を、点ｐ１０１とする。また、頂点Ｐ１と同じ位置となるスラット前面２１の点を、点ｐ１０２とし、点ｐ１００と点ｐ１０２とを結ぶ直線（点線）に対して、スラット後面２２と交わる点を、点ｐ１０３とする。このとき、上記の長さＬ１は、点ｐ１０１と点Ｐ２とを結ぶ直線の長さとなっており、上記の長さＬ２は、点ｐ１００と点Ｐ２とを結ぶ直線の長さとなっている。また、点ｐ１０２と点ｐ１０３とを結ぶ直線の長さを、長さＬｒｅｆ１とし、点ｐ１００と点ｐ１０３とを結ぶ直線の長さを、長さＬｒｅｆ２とする。この場合、スラット１５の形状は、長さＬ１と長さＬｒｅｆ１とが、「Ｌ１≦Ｌｒｅｆ１」の関係となっている。
【００３２】
ここで、長さＬ１が０の場合には、従来の形状（点線）と同様となり、騒音の低減効果を発揮する長さＬ１は、「０．１Ｌｒｅｆ１≦Ｌ１」程度であることから、長さＬ１と長さＬｒｅｆ１は、「０．１Ｌｒｅｆ１≦Ｌ１≦Ｌｒｅｆ１」の範囲がより好ましい。また、長さＬｒｅｆ１に対して長さＬ１が長くなると、格納時において形成されるスラット１５と母翼１０との隙間が広くなることから、隙間が広くなり過ぎないためには、「Ｌ１≦０．５Ｌｒｅｆ１」がよく、長さＬ１と長さＬｒｅｆ１は、「０．１Ｌｒｅｆ１≦Ｌ１≦０．５Ｌｒｅｆ１」の範囲がより好ましい。なお、長さＬ１が決まれば、長さＬ１に対応する長さＬ２が決まる。
【００３３】
閉塞部材１８は、図１及び図２に示すように、母翼１０の翼下面側に設けられ、格納位置に格納されたスラット１５と、母翼１０との間の隙間を閉塞している。閉塞部材１８は、ピッチ軸方向に延在して設けられおり、薄板上に形成されている。閉塞部材１８は、スラット１５と母翼１０との隙間を閉塞することで、スラット１５のスラット前面２１と母翼１０の翼下面とが連続した面となるように、スラット１５と母翼１０との間の面を形成する。
【００３４】
閉塞部材移動機構１９は、前方の閉塞位置と後方の収容位置との間で、閉塞部材１８を移動させる。閉塞位置は、航空機１の巡航時（高速時）、つまり、スラット１５の格納時において、閉塞部材１８を前方に展開する位置となっている。収容位置は、航空機１の離着陸時（低速時）、つまり、スラット１５展開時において、閉塞部材１８を後方に収容する位置となっている。このため、閉塞部材移動機構１９は、航空機１の離着陸時において、閉塞部材１８を収容位置に移動させる一方で、航空機１の巡航時において、閉塞部材１８を閉塞位置に移動させる。収容位置に移動した閉塞部材１８は、スラット１５と母翼１０との隙間を開放するため、航空機１の離着陸時において、閉塞部材１８は、揚力の発生を阻害することがない。閉塞位置に移動した閉塞部材１８は、スラット１５と母翼１０との隙間を閉塞するため、航空機１の巡航時において、スラット１５と母翼１０との隙間による主翼５への空気抵抗を軽減する。
【００３５】
次に、図４及び図５を参照して、従来のスラット３１により発生する騒音と、本実施形態のスラット１５により発生する騒音とについて比較する。図４は、従来のスラット３１により発生する音量レベルの図であり、図５は、本実施形態のスラット１５により発生する音量レベルの図である。図４に示すように、スラット３１のスラット後面の後方側では、乱流が発生していることが見てとれ、この乱流は、スラット３１と母翼１０との隙間を通って、母翼１０の翼上面まで続いている。そして、スラット３１と母翼１０との隙間の上方側に、所定の音量レベルとなる騒音領域が広く形成されている。これに対し、図５に示すように、スラット１５のスラット後面２２の後方側では、従来に比して乱流が発生しておらず、また、母翼１０の翼上面においても、従来に比して乱流が発生していない。このため、母翼１０の翼上面において形成される騒音領域が、従来に比して小さいものとなっている。
【００３６】
以上のように、本実施形態によれば、スラット１５にフィレット面２３を形成することで、スラット前面２１からフィレット面２３を介してスラット後面２２に流れ込む気流を、スラット１５からはく離し難くすることができる。このため、気流のはく離によって発生する乱流の形成を抑制することができ、乱流の圧力変動による生じる航空機１の騒音を低減することができる。このとき、スラット後面２２とフィレット面２３との変曲点Ｐ２を、母翼１０の前方側の頂点Ｐ１よりも、ヨー軸方向の下方側に位置させることで、フィレット面２３を、一般的なスラット１５の一部を切り落とす面として取り扱うことができる。このため、従来の一般的なスラット３１の角部を切り落とした形状にできることから、スラット１５の大幅な設計変更を行う必要がない。さらに、スラット後面２２は、母翼１０と相補的な形状の曲面となっていることから、スラット１５の格納時において、母翼１０との物理的な干渉を抑制することができる。
【００３７】
また、本実施形態によれば、平均曲率半径Ｒ１を平均曲率半径Ｒ２に比して小さくすることで、フィレット面２３が形成される部位を、スラット後面２２が形成される部位に比して小さいものとすることができる。このため、スラット１５の設計変更を軽微なものとしつつ、騒音の低減効果が高いスラット１５の形状とすることができる。
【００３８】
また、本実施形態によれば、長さＬ１と長さＬｒｅｆ１とを「Ｌ１≦Ｌｒｅｆ１」の関係とすることで、スラット１５の形状を、より最適な形状とすることができるため、騒音をより低減することができる。
【００３９】
また、本実施形態によれば、閉塞部材１８を閉塞位置に移動させることで、航空機２の巡航時における翼下面での空気抵抗を抑制することができる。
【符号の説明】
【００４０】
１  航空機
３  胴体
５  主翼
１０  母翼
１１  高揚力装置
１５  スラット
１６  スラット移動機構
１７  フラップ
１８  閉塞部材
１９  閉塞部材移動機構
２１  スラット前面
２２  スラット後面
２３  フィレット面
２５  翼前面
３１  スラット（従来）
【図１】
2019155971.tif 000003
【図２】
2019155971.tif 000004
【図３】
2019155971.tif 000005
【図４】
2019155971.tif 000006
【図５】
2019155971.tif 000007